(57)【要約】【課題】本発明は、デジタルデータを提供する接続機器を制限することができ、提供されるデジタルデータの著作権保護が可能な接続設定装置及び接続設定方法を提供する。【解決手段】ある電子機器において映像提供装置からの映像を受信するよう接続設定する場合、リモコン装置の登録ボタン２１５を用いて指示する。まずリモコン装置は予め設定された接続台数情報に基づいて新たに接続可能か、次に電子機器の機器種別が接続可能な機種かを確認し、いずれも接続可能ならば、暗号化した認証鍵を当該電子機器に送信する。この認証鍵が当該電子機器に正常に格納されると、リモコン装置内の台数情報を減算し、登録処理を終了する。以降、映像提供装置と登録された電子機器間において、この認証鍵を用いて接続認証し、映像の提供が行われる。【選択図】  図４
2004355406.tif 000002
【特許請求の範囲】
【請求項１】
第１の電子機器と第２の電子機器との間で無線でデータを転送するシステムにあって上記第２の電子機器の接続設定を無線で行う接続設定装置において、
上記第１の電子機器との認証に関連する情報を格納する認証情報格納部と、
上記第１の電子機器が接続可能な電子機器の台数情報を格納する台数情報格納部と、
上記第１の電子機器に対して上記第２の電子機器を接続可能な状態にするよう指示する接続指示部と、
この接続指示部によって上記第２の電子機器の接続が指示されると、上記台数情報格納部に格納された台数情報に基づいて、上記第１の電子機器に対して上記第２の電子機器を接続可能であるかを判断する台数判断手段と、
この台数判断手段によって接続可能と判断されると、上記第２の電子機器に対して上記認証情報格納部に格納された上記第１の電子機器との認証に関する情報を送信する送信手段と、
この送信手段による認証に関する情報の送信後、上記台数情報格納部に格納された台数情報を減らすよう変更する変更手段と、
を有することを特徴とする接続設定装置。
【請求項２】
第１の電子機器と第２の電子機器との間で無線でデータを転送するシステムにあって上記第２の電子機器の接続設定を無線で行う接続設定装置において、
上記第１の電子機器との認証に関連する情報を格納する認証情報格納部と、
上記第１の電子機器が接続可能な電子機器の種別情報を格納する種別情報格納部と、
上記第１の電子機器に対して上記第２の電子機器を接続可能な状態にするよう指示する接続指示部と、
この接続指示部によって上記第２の電子機器の接続が指示されると、上記種別情報格納部に格納された種別情報に基づいて、上記第１の電子機器に対して上記第２の電子機器が接続可能な機器種別であるか判断する種別判断手段と、
この種別判断手段によって接続可能と判断されると、上記第２の電子機器に対して上記認証情報格納部に格納された上記第１の電子機器との認証に関する情報を送信する送信手段と、
を有することを特徴とする接続設定装置。
【請求項３】
第１の電子機器と第２の電子機器との間で無線でデータを転送するシステムにあって上記第２の電子機器の接続設定を無線で行う接続設定装置において、
上記第１の電子機器との認証に関連する情報を格納する認証情報格納部と、
上記第１の電子機器が接続可能な電子機器の台数情報を格納する台数情報格納部と、
上記第１の電子機器が接続可能な電子機器の種別情報を格納する種別情報格納部と、
上記第１の電子機器に対して上記第２の電子機器を接続可能な状態にするよう指示する接続指示部と、
この接続指示部によって上記第２の電子機器の接続が指示されると、上記台数情報格納部に格納された台数情報に基づいて、上記第１の電子機器に対して上記第２の電子機器を接続可能であるかを判断する台数判断手段と、
上記接続指示部によって上記第２の電子機器の接続が指示されると、上記種別情報格納部に格納された種別情報に基づいて、上記第１の電子機器に対して上記第２の電子機器が接続可能な機器種別であるか判断する種別判断手段と、
上記台数判断手段及び上記種別判断手段によって接続可能と判断されると、上記第２の電子機器に対して上記認証情報格納部に格納された上記第１の電子機器との認証に関する情報を送信する送信手段と、
この送信手段による認証に関する情報の送信後、上記台数情報格納部に格納された台数情報を減らすよう変更する変更手段と、
を有することを特徴とする接続設定装置。
【請求項４】
上記台数判断手段によって接続可能ではないと判断されると、上記第２の電子機器の接続設定を中断するよう制御する制御手段を有することを特徴とする請求項１または請求項３のいずれか記載の接続設定装置。
【請求項５】
上記種別判断手段によって接続可能ではないと判断されると、上記第２の電子機器の接続設定を中断するよう制御する制御手段を有することを特徴とする請求項２または請求項３のいずれか記載の接続設定装置。
【請求項６】
上記第１の電子機器と接続可能な状態にある上記第２の電子機器の登録を削除するよう指示する削除指示部と、
この削除指示部により上記第２の電子機器の登録削除が指示されると、上記第２の電子機器に対して上記第１の電子機器との認証に関する情報を使えない状態に変更するよう指示する命令信号を上記送信手段を用いて送信するよう制御する制御手段と、
を有することを特徴とする請求項１乃至請求項３のいずれか記載の接続設定装置。
【請求項７】
上記変更手段は、上記送信手段による変更を指示する命令信号の送信後、上記台数情報格納部に格納された台数情報を増やすよう変更することを特徴とする請求項６記載の接続設定装置。
【請求項８】
管理者に関する情報を格納する管理者情報格納部と、
外部より受信した情報が上記管理者情報格納部に格納された管理者に関する情報と一致した場合に、外部より受信した情報に基づいて上記台数情報格納部に格納された台数情報を書き換える書換手段と、
を有することを特徴とする請求項１または請求項３のいずれか記載の接続設定装置。
【請求項９】
管理者に関する情報を格納する管理者情報格納部と、
外部より受信した情報が上記管理者情報格納部に格納された管理者に関する情報と一致した場合に、外部より受信した情報に基づいて上記種別情報格納部に格納された種別情報を書き換える書換手段と、
を有することを特徴とする請求項２または請求項３のいずれか記載の接続設定装置。
【請求項１０】
第１の電子機器と第２の電子機器との間で無線でデータを転送するシステムにあって上記第２の電子機器の接続設定を行い、上記第１の電子機器との認証に関連する情報を格納する認証情報格納部と、上記第１の電子機器が接続可能な電子機器の台数情報を格納する台数情報格納部とを有する無線機器における接続設定方法において、
上記第１の電子機器に対して上記第２の電子機器を接続可能な状態にするよう指示されると、上記台数情報格納部に格納された台数情報に基づいて、上記第１の電子機器に対して上記第２の電子機器を接続可能であるかを判断するステップと、
この台数判断ステップによって接続可能と判断されると、上記第２の電子機器に対して上記認証情報格納部に格納された上記第１の電子機器との認証に関する情報を送信するステップと、
この送信ステップによる認証に関する情報の送信後、上記台数情報格納部に格納された台数情報を減らすよう変更するステップと、
を有することを特徴とする接続設定方法。
【請求項１１】
第１の電子機器と第２の電子機器との間で無線でデータを転送するシステムにあって上記第２の電子機器の接続設定を行い、上記第１の電子機器との認証に関連する情報を格納する認証情報格納部と、上記第１の電子機器が接続可能な電子機器の種別情報を格納する種別情報格納部とを有する無線機器における接続設定方法において、
上記第１の電子機器に対して上記第２の電子機器を接続可能な状態にするよう指示されると、上記種別情報格納部に格納された種別情報に基づいて、上記第１の電子機器に対して上記第２の電子機器が接続可能な機器種別であるか判断するステップと、
この種別判断ステップによって接続可能と判断されると、上記第２の電子機器に対して上記認証情報格納部に格納された上記第１の電子機器との認証に関する情報を無線送信するステップと、
を有することを特徴とする接続設定方法。
【請求項１２】
第１の電子機器と第２の電子機器との間で無線でデータを転送するシステムにあって上記第２の電子機器の接続設定を行い、上記第１の電子機器との認証に関連する情報を格納する認証情報格納部と、上記第１の電子機器が接続可能な電子機器の台数情報を格納する台数情報格納部と、上記第１の電子機器が接続可能な電子機器の種別情報を格納する種別情報格納部とを有する無線機器における接続設定方法において、
上記第１の電子機器に対して上記第２の電子機器を接続可能な状態にするよう指示されると、上記台数情報格納部に格納された台数情報に基づいて、上記第１の電子機器に対して上記第２の電子機器を接続可能であるかを判断するステップと、
上記第１の電子機器に対して上記第２の電子機器を接続可能な状態にするよう指示されると、上記種別情報格納部に格納された種別情報に基づいて、上記第１の電子機器に対して上記第２の電子機器が接続可能な機器種別であるか判断するステップと、
この台数判断ステップ及び種別判断ステップによって接続可能と判断されると、上記第２の電子機器に対して上記認証情報格納部に格納された上記第１の電子機器との認証に関する情報を送信するステップと、
この送信ステップによる認証に関する情報の送信後、上記台数情報格納部に格納された台数情報を減らすよう変更するステップと、
を有することを特徴とする接続設定方法。
【請求項１３】
上記台数判断ステップによって接続可能ではないと判断されると、上記第２の電子機器の接続設定を中断するよう制御するステップを有することを特徴とする請求項１０または請求項１２のいずれか記載の接続設定方法。
【請求項１４】
上記種別判断ステップによって接続可能ではないと判断されると、上記第２の電子機器の接続設定を中断するよう制御するステップを有することを特徴とする請求項１１または請求項１２のいずれか記載の接続設定方法。
【請求項１５】
上記第１の電子機器と接続可能な状態にある上記第２の電子機器の登録を削除するよう指示されると、上記第２の電子機器に対して上記第１の電子機器との認証に関する情報を使えない状態に変更するよう指示する命令信号を送信するステップを有することを特徴とする請求項１０乃至請求項１２のいずれか記載の接続設定方法。
【請求項１６】
上記送信ステップによる変更命令の送信後、上記台数情報格納部に格納された台数情報を増やすよう変更するステップを有することを特徴とする請求項１５記載の接続設定方法。
【請求項１７】
上記無線機器は、管理者に関する情報を格納する管理者情報格納部を更に有しており、
外部より受信した情報が上記管理者情報格納部に格納された管理者に関する情報と一致した場合に、外部より受信した情報に基づいて上記台数情報格納部に格納された台数情報を書き換えるステップと、
を有することを特徴とする請求項１０または請求項１２のいずれか記載の接続設定方法。
【請求項１８】
上記無線機器は、管理者に関する情報を格納する管理者情報格納部を更に有しており、
外部より受信した情報が上記管理者情報格納部に格納された管理者に関する情報と一致した場合に、外部より受信した情報に基づいて上記種別情報格納部に格納された種別情報を書き換えるステップと、
を有することを特徴とする請求項１１または請求項１２のいずれか記載の接続設定方法。
【発明の詳細な説明】
【０００１】
【発明の属する技術分野】
本発明は、無線ＬＡＮインターフェースを介して著作権保護を必要とするデータの転送を行いたい電子機器の接続設定／接続を解除したい電子機器の解除設定を行う接続設定装置及びその接続設定方法に関する。
【０００２】
【従来の技術】
従来ユーザにアナログデータとして扱われてきたＡＶデータが、近年では、デジタル衛星放送、インターネット配信、ＤＶＤ等の普及によってデジタルデータのまま扱われるようになってきた。デジタルデータは、高品質、劣化がない、加工や蓄積が容易等の利点がある反面、コピーが容易であるという特徴がある。更に、別個に設けられた外部表示部に対して無線によりデジタルデータを送信する機器が登場してきてからは、著作権に係るデジタルデータに対する不正行為を未然に防ぐ仕組みの構築が提案されている。
【０００３】
このような著作権を保護するシステムとして、接続する機器の認証を実行し、正当性が確認されると暗号化したデジタルデータを送受信するシステムが知られている（例えば、特許文献１参照。）。
【０００４】
【特許文献１】
特開２０００−１１５１５９号公報（図２）
【０００５】
【発明が解決しようとする課題】
しかしながら、従来の装置では、認証／暗号化処理により著作権に係るデジタルデータに対する不正行為を未然に防ぐことが可能であるが、その反面、購入時から予め１つのみの接続対象機器と一対に設定されていたり、ユーザが認証を指示した全ての機器に対して接続が可能であったり、製造者等が著作権保護の観点から接続する機器を制限する術が１対１に制限する以外には何等存在していなかった。
【０００６】
本発明は、以上の点に鑑みなされたもので、デジタルデータを提供する接続機器を制限することができ、提供されるデジタルデータの著作権保護が可能な接続設定装置及び接続設定方法を提供することを目的とする。
【０００７】
【課題を解決するための手段】
上記目的を達成するために、本発明の接続設定装置は、第１の電子機器と第２の電子機器との間で無線でデータを転送するシステムにあって上記第２の電子機器の接続設定を無線で行う接続設定装置において、上記第１の電子機器との認証に関連する情報を格納する認証情報格納部と、上記第１の電子機器が接続可能な電子機器の台数情報を格納する台数情報格納部と、上記第１の電子機器に対して上記第２の電子機器を接続可能な状態にするよう指示する接続指示部と、この接続指示部によって上記第２の電子機器の接続が指示されると、上記台数情報格納部に格納された台数情報に基づいて、上記第１の電子機器に対して上記第２の電子機器を接続可能であるかを判断する台数判断手段と、この台数判断手段によって接続可能と判断されると、上記第２の電子機器に対して上記認証情報格納部に格納された上記第１の電子機器との認証に関する情報を送信する送信手段と、この送信手段による認証に関する情報の送信後、上記台数情報格納部に格納された台数情報を減らすよう変更する変更手段と、を有することを特徴とする。
【０００８】
上記目的を達成するために、本発明の接続設定装置は、第１の電子機器と第２の電子機器との間で無線でデータを転送するシステムにあって上記第２の電子機器の接続設定を無線で行う接続設定装置において、上記第１の電子機器との認証に関連する情報を格納する認証情報格納部と、上記第１の電子機器が接続可能な電子機器の種別情報を格納する種別情報格納部と、上記第１の電子機器に対して上記第２の電子機器を接続可能な状態にするよう指示する接続指示部と、この接続指示部によって上記第２の電子機器の接続が指示されると、上記種別情報格納部に格納された種別情報に基づいて、上記第１の電子機器に対して上記第２の電子機器が接続可能な機器種別であるか判断する種別判断手段と、この種別判断手段によって接続可能と判断されると、上記第２の電子機器に対して上記認証情報格納部に格納された上記第１の電子機器との認証に関する情報を送信する送信手段と、を有することを特徴とする。
【０００９】
上記目的を達成するために、本発明の接続設定方法は、第１の電子機器と第２の電子機器との間で無線でデータを転送するシステムにあって上記第２の電子機器の接続設定を行い、上記第１の電子機器との認証に関連する情報を格納する認証情報格納部と、上記第１の電子機器が接続可能な電子機器の台数情報を格納する台数情報格納部とを有する無線機器における接続設定方法において、上記第１の電子機器に対して上記第２の電子機器を接続可能な状態にするよう指示されると、上記台数情報格納部に格納された台数情報に基づいて、上記第１の電子機器に対して上記第２の電子機器を接続可能であるかを判断するステップと、この台数判断ステップによって接続可能と判断されると、上記第２の電子機器に対して上記認証情報格納部に格納された上記第１の電子機器との認証に関する情報を送信するステップと、この送信ステップによる認証に関する情報の送信後、上記台数情報格納部に格納された台数情報を減らすよう変更するステップと、を有することを特徴とする。
【００１０】
上記目的を達成するために、本発明の接続設定方法は、第１の電子機器と第２の電子機器との間で無線でデータを転送するシステムにあって上記第２の電子機器の接続設定を行い、上記第１の電子機器との認証に関連する情報を格納する認証情報格納部と、上記第１の電子機器が接続可能な電子機器の種別情報を格納する種別情報格納部とを有する無線機器における接続設定方法において、上記第１の電子機器に対して上記第２の電子機器を接続可能な状態にするよう指示されると、上記種別情報格納部に格納された種別情報に基づいて、上記第１の電子機器に対して上記第２の電子機器が接続可能な機器種別であるか判断するステップと、この種別判断ステップによって接続可能と判断されると、上記第２の電子機器に対して上記認証情報格納部に格納された上記第１の電子機器との認証に関する情報を無線送信するステップと、を有することを特徴とする。
【００１１】
【発明の実施の形態】
以下、図面を参照して本発明の実施形態を説明する。図１には、本発明の一実施形態に係る接続設定装置を用いたシステムが示されている。
【００１２】
例えば、図１に示すシステムにおいては、部屋Ａに、映像提供装置１００と、ＤＶＤ等の記録再生装置１０と、第１の表示装置２０とがローカルエリア無線ネットワークで接続できる範囲内に位置している。また、部屋Ｂには第２の表示装置３０が設置されており、この第２の表示装置３０は部屋Ａの映像提供装置１００と中継器を介してローカルエリア無線ネットワークで接続できるようになっている。
【００１３】
このローカルエリア無線ネットワークとしては、例えばＩＥＥＥ８０２．１１ａ／ＩＥＥＥ８０２．１１ｂ規格やＢｌｕｅｔｏｏｔｈ等の無線ＬＡＮが挙げられる。従って、これら映像提供装置１００、記録再生装置１０、第１及び第２の表示装置２０、３０は全て、図示せぬ無線ＬＡＮインターフェース／通信処理部を有している。
【００１４】
映像提供装置１００は、例えば、チューナ部を有し、このチューナ部で受信した映像を無線ＬＡＮインターフェースを介して外部表示装置、記録再生装置に対して無線送信する無線テレビジョンや、ＨＤＤのような映像記憶部とチューナ部を有し、チューナ部で受信した／映像記憶部に格納された映像を無線ＬＡＮインターフェースを介してＰＣや外部表示装置に対して無線送信するホームサーバ等が考えられる。
【００１５】
また、映像提供装置１００は、製造／出荷時に予め一対に設定された付属のリモコン装置２００を有している。映像提供装置１００とリモコン装置２００は、例えば赤外線方式や上述した無線ＬＡＮによる無線通信を用いて、各種情報を送受信することができる。
【００１６】
そして、このリモコン装置２００を用いて、ユーザが希望する外部の電子機器（表示装置や再生装置等）に対して後述する登録処理を実行することにより、映像提供装置１００と登録された電子機器との間で無線接続可能な状態となる。
【００１７】
即ち、登録処理を実行することにより、ユーザが希望する電子機器には、映像提供装置１００と電子機器間で無線接続する際に実行される接続認証に用いる認証鍵が格納される。この結果、映像提供装置１００あるいは登録された電子機器から接続要求が行われ、映像提供装置１００と登録された電子機器との間で、この認証鍵を用いた認証処理が行われ、映像等の情報が提供されるようになる。
【００１８】
また、リモコン装置２００を用いて、ユーザが希望する外部の電子機器に対して後述する登録解除処理を実行することにより、映像提供装置１００と登録された電子機器との間の無線接続状態が解除される。
【００１９】
即ち、解除処理によって電子機器に格納されている認証鍵を使えない状態（もしくは使わない状態）へと変更することにより、以降は当該電子機器に対しては、映像提供装置１００から情報提供されないようになる。
【００２０】
また、このような登録処理を実行する際に、リモコン装置２００は、予め設定された接続可能な台数の範囲内であれば登録処理を継続し、また予め設定された接続可能な機種であれば登録処理を継続するようになっている。そして、接続可能な台数を越える場合や接続可能な機種ではない場合には、リモコン装置２００は、以降の登録処理を中断し、接続対象としている電子機器の接続設定（登録）を行わないようになっている。
【００２１】
尚、本実施例では、デジタルデータを提供する送信装置としての映像提供装置に対して、受信装置となる電子機器を接続するシステムで説明している。しかしながら、本発明は、これに限らず、デジタルデータの受信装置に付属のリモコン装置により、他の送信装置に対して登録処理を実施して、この受信装置との接続認証に用いる認証鍵（受信装置に関する情報）を格納することにより、登録するシステムであっても良い。
【００２２】
図２を参照して、リモコン装置２００のシステム構成を説明する。リモコン装置２００は、制御部２０１、接続機器管理部２０２、認証鍵格納部２０３、接続機器台数情報格納部２０４、接続機器種別情報格納部２０５、操作ボタン群２０６、発光部２０７、受光部２０８及びメモリ２０９等を備えている。
【００２３】
制御部２０１は、本リモコン装置２００の動作を制御するためのもので、操作ボタン群２０６、発光部２０７、受光部２０８及び接続機器管理部２０２と接続されている。制御部２０１は、操作ボタン群２０６からの操作に応じた処理を実行したり、接続機器管理部２０２の情報処理を指示したり、発光部２０７及び受光部２０８を介した外部との各種情報の送受信を制御するものである。メモリ２０９は、送受信する各種情報の記憶や、後述する登録／登録解除処理を施すためのプログラムを格納している。
【００２４】
認証鍵格納部２０３は、外部の電子機器と接続する際の機器間の認証処理に用いられる認証鍵を、当該リモコン装置２００が付属された映像提供装置１００の識別情報に対応するよう、格納している。この認証鍵は、当該リモコン装置が付属された映像提供装置１００用に割り振られた固有の鍵である。
【００２５】
また、認証鍵格納部２０３は、製造者の認証鍵も格納している。この製造者認証鍵は、後述する変更処理の際に用いられる、製造者を認識するために用いられる固有の鍵である。
【００２６】
接続機器台数情報格納部２０４は、映像提供装置１００が接続できる外部電子機器の台数に関する情報（以下、台数情報という。）を格納している。接続機器種別情報格納部２０５は、映像提供装置１００が接続可能な電子機器の機器種別に関する情報（以下、種別情報という。）を格納している。
【００２７】
接続機器種別情報格納部２０５には、例えば、接続可能な種別情報として、「表示装置」や、ＩＥＥＥ１３９４におけるＤＴＣＰ（Ｄｉｇｉｔａｌ  Ｔｒａｎｓｍｉｓｓｉｏｎ  Ｃｏｎｔｅｎｔｓ  Ｐｒｏｔｅｃｔｉｏｎ）のように第三者による盗聴を防止する「著作権保護技術の施された電子機器」等のような種別を示す情報が格納されている。この種別情報は、本実施例では、電子機器の識別情報とリンクして決められおり、電子機器の識別情報から判断することができるものとする。
【００２８】
認証鍵格納部２０３に格納された各認証鍵、接続機器台数情報格納部２０４に格納された台数情報、更に接続機器種別情報格納部２０５に格納された種別情報は、製造者によって製造時に予め格納される。
【００２９】
接続機器管理部２０２は、認証鍵格納部２０３と、接続機器台数情報格納部２０４と、接続機器種別情報格納部２０５からの情報の入出力を管理するものである。そして、これら情報の書換えや読み出しは、接続機器管理部２０３によって制限されており、勝手にユーザによる書換えや読み出しができないようになっている。
【００３０】
そして、接続機器台数情報格納部２０４と、接続機器種別情報格納部２０５に格納された台数情報及び種別情報については、後述する変更処理を実行することにより、接続機器管理部２０２によって、書き換えることが可能となる。尚、発光部２０７、受光部２０８は、指向性を有する赤外線方式にて説明するが、これに限らない。
【００３１】
図３は、リモコン装置２００の外観構成を説明する図である。リモコン装置２００は、操作ボタン群２０６に対応する各種ボタンとして、例えば、電源ボタン２１１、数字ボタン２１２、音量ボタン２１３、チャンネル変更ボタン２１４、接続機器登録ボタン２１５および接続機器登録解除ボタン２１６が形成されている。
【００３２】
尚、本実施例では、接続機器登録ボタン２１５および接続機器登録解除ボタン２１６を独立した操作ボタンで形成しているが、これに限らず、既存の操作ボタン（例えば数字ボタン２１２等）を同時に押したり、決められた順番に押下することにより指示される場合も同様である。
【００３３】
接続機器登録ボタン２１５は、映像提供装置１００に接続したい電子機器がある場合に、押下する操作ボタンである。接続機器登録解除ボタン２１６は、映像提供装置１００に接続されている電子機器の接続を解除したい場合に押下する操作ボタンである。
【００３４】
リモコン装置２００の制御部２０１は、ユーザによって接続機器登録ボタン２１５あるいは接続機器登録解除ボタン２１６が押下されると、そのキーコードから接続機器の登録処理あるいは登録解除処理が指示されたことを認識し、後述する図４に示すフローチャートに従って、登録処理あるいは登録解除処理の実行を開始する。
【００３５】
本実施例では、リモコン装置２００を登録したい、あるいは登録解除したい電子機器に向けて、対応するボタン（接続機器登録ボタン２１５や接続機器登録解除ボタン２１６）を押下することによって、リモコン装置２００の制御部２０１によって登録処理あるいは登録解除処理が実行され、必要に応じてリモコン装置２００の発光部２０７、受光部２０８を介して登録／登録解除したい電子機器と各種情報を送受信するようになっている。
【００３６】
従って、本実施例では、この登録処理／登録解除処理において、リモコン装置２００が外部の電子機器と送受信する際のリモコンコードについては、種々の電子機器において共通に判別できるような統一コードとなっているものとする。
【００３７】
次に、図４乃至図６を用いて、登録処理／登録解除処理の手順について説明する。図４は、登録処理／登録解除処理の手順を示すフローチャート図である。図５は、登録処理における通信の様子を示す図である。図６は、登録解除処理における通信の様子を示す図である。尚、認証処理については公知の技術を用いるため詳細な説明は省略する。
【００３８】
本実施例では、例えば、この接続機器台数情報格納部２０４には、接続可能な台数情報として「３（３台接続可能）」と格納されており、接続機器種別情報格納部２０５には、接続可能な種別情報として「表示装置」と格納されているとする。
【００３９】
まず、ユーザがリモコン装置２００を希望する電子機器に向けて操作ボタン群２０６を押下することにより、以降の処理が実行される。即ち、図４に示すように、リモコン装置２００の制御部２０１は、ユーザによる操作ボタン群２０６の押下を検知すると（ステップＳＴ１１）、押下された操作ボタンのキーコードに従って、押下された操作ボタンに対応する処理を実行する。
【００４０】
ＳＴ１１により検知されたキーコードから、接続機器登録ボタン２１５及び接続機器登録解除ボタン２１６以外の操作ボタン（即ち、電源ボタン２１１、数字ボタン２１２、音量ボタン２１３、チャンネル変更ボタン２１４）が押下されたと検知された場合（ステップＳＴ１２のＮｏ、ステップＳＴ２０のＮｏ）、制御部２０１は、押下された操作ボタンに対応するリモコンコードをメモリ２０９より読み出し、外部へ出力する所定のフォーマットに変換した後、発光部２０７より外部へ出力し（ステップＳＴ２４）、一連の処理を終了する。
【００４１】
ＳＴ１１により検知されたキーコードから、接続機器登録ボタン２１５が押下されたと検知された場合（ステップＳＴ１２のＹｅｓ）、制御部２０１は、接続機器管理部２０２を介して接続機器台数情報格納部２０４から台数情報を読み出し、メモリ２０９に格納する（ステップＳＴ１３）。
【００４２】
ＳＴ１３で読み出した台数情報が「１」以上である場合には、少なくとも残り１台の接続（登録）が可能であることから、以降の処理へと進む（ステップＳＴ１４のＹｅｓ）。ＳＴ１３で読み出した台数情報が「０」である場合には、制御部２０１は接続（登録）は不可能であると判断し、指示された登録処理の実行を中断し、一連の処理を終了する（ステップＳＴ１４のＮｏ）。
【００４３】
ＳＴ１４により電子機器の新たな接続（登録）が可能であると判断されると（ステップＳＴ１４のＹｅｓ）、制御部２０１は、発光部２０７を介して電子機器に種別情報を要求する。制御部２０１は、この要求に対して、受光部２０８を介して種別情報を受信すると、接続機器管理部２０２を介して接続機器種別情報格納部２０５から種別情報を読み出し、外部より受信した種別情報と比較する（ステップＳＴ１５）。
【００４４】
ＳＴ１５による比較の結果、接続を許可されていない機器種別であると判断されると、制御部２０１は、指示された登録処理の実行を中断し、一連の処理を終了する（ステップＳＴ１６のＮｏ）。
【００４５】
即ち、図１に示すように、接続機器種別情報格納部２０５に設定されていた種別情報が「表示装置」であるのに対して、外部から取得した種別情報が「（ＤＶＤ等の）記録再生装置」であった場合には、制御部２０１は接続可能な機器種別に該当しないと判断し、指示された登録処理の実行を中断し、処理を終了する。
【００４６】
ＳＴ１５による比較の結果、接続可能な機器種別であると判断されると（ステップＳＴ１６）、制御部２０１は、接続機器管理部２０２を介して認証鍵格納部２０３から映像提供装置１００の識別情報と認証鍵を読み出す。
【００４７】
この際、接続機器管理部２０２は、公知の暗号化技術を用いて少なくとも認証鍵の暗号化を施した後、映像提供装置１００の識別情報と認証鍵を制御部２０１に受け渡す。制御部２０１は、受け取った映像提供装置１００の識別情報と認証鍵を、発光部２０７を介して外部へ送信する（ＳＴ１７）。
【００４８】
外部の接続対象となっている電子機器においては、暗号化された認証鍵を受信すると、所定の処理を施し、映像提供装置１００の識別情報と認証鍵を正常に受理すると、正常に受理した旨の応答をリモコン装置２００に対して送信する。
【００４９】
リモコン装置２００の制御部２０１は、受光部２０８を介して正常に受理した旨の応答を受信すると（ストップＳＴ１８）、接続機器管理部２０２を制御して、接続機器台数情報格納部２０４に格納されている台数情報に「−１」減算処理を施し、「−１」減じた台数情報に書換えて、一連の登録処理を終了する（ステップＳＴ１９）。
【００５０】
この結果、登録処理の接続対象となった電子機器は、格納（取得）した映像提供装置１００の識別情報に基づいて、同様に格納（取得）した認証鍵を用いて、映像提供装置１００との無線接続を実施し、認証処理を経て、無線接続を確立するようになる。
【００５１】
次に、ＳＴ１１により見地されたキーコードから、接続機器登録解除ボタン２１６が押下されたと検知された場合（ステップＳＴ１２のＮｏ、ステップＳＴ２０のＹｅｓ）、リモコン装置２００の制御部２０１は、メモリ２０９から登録解除の指示を示すリモコンコードを読み出し、所定のフォーマットに変換した後、発光部２０７を介して外部へ出力する（ステップＳＴ２１）。
【００５２】
解除対象となっている外部の電子機器においては、登録解除コードを受信すると、内部メモリに格納されている認証鍵を消去あるいは使えない状態へと変更し、無線接続の切断モード（未登録モード）へと移行する。正常に切断モードへと移行すると、正常に登録解除した旨の応答をリモコン装置２００に対して送信する。
【００５３】
リモコン装置２００の制御部２０１は、受光部２０８を介して正常に登録解除した旨の応答を受信すると（ステップＳＴ２２）、接続機器管理部２０２を制御して、接続機器台数情報格納部２０４に格納されている台数情報に「＋１」加算処理を施し、「＋１」増加させた台数情報に書き換えて、一連の登録解除処理を終了する（ステップＳＴ２３）。
【００５４】
この結果、登録解除処理の対象となった電子機器は、登録解除処理前に接続状態にあった映像提供装置１００と、無線接続を切断された状態となる。
【００５５】
尚、映像提供装置１００と各電子機器との接続認証方式にもよるが、必要に応じて、登録／登録解除処理におけるＳＴ１９／ＳＴ２３による台数情報の増減処理を行った後に、映像提供装置１００に対して、当該登録／登録解除した電子機器の識別情報を送信することによって、どの電子機器を登録／登録解除したかを映像提供装置１００に通知することも考えられる。
【００５６】
このように、本実施例では、映像提供装置や無線テレビジョンのような映像提供装置から、著作権を有する映像等のデジタルデータが提供される接続機器（表示装置や再生装置等）を、その台数や機器種別によって接続を制限することができ、デジタルデータの著作権を保護するとともに、著作権の管理を容易としたデータ提供環境を確保できる。
【００５７】
また、本実施例では、映像提供装置の接続相手として一旦登録（認証）した電子機器に対して接続不可能な状態へと変更させることができるので、新たに別の電子機器を接続相手として登録することが可能となり、フレキシブルな接続環境を提供することができる。更に、デジタルデータのライセンス料の徴収のために接続台数を管理したいＡＶ機器には特に有効である。
【００５８】
また、本実施例では、リモコン装置を用いて映像提供装置との接続認証に用いる認証鍵（映像提供装置に関する情報）を映像を受信する電子機器（受信装置サイド）へ提供することにより接続登録するようになっている。あるいは、リモコン装置を用いて映像受信装置との接続認証に用いる認証鍵（映像受信装置に関する情報）を映像を送信する電子機器（送信装置サイド）へ提供することにより接続登録するようになっている。
【００５９】
従って、一種類のリモコン装置を用いて、ユーザが希望する電子機器にリモコン装置を向けて所定の指示を操作するだけで、無線通信可能な範囲に配置された電子機器に対して、たとえその電子機器が他の部屋に配置されていたとしても、容易に登録／登録解除処理を指示／実行する事が可能となる。
【００６０】
次に、図７のフローチャート図を参照して、変更処理の手順について説明する。尚、この変更処理は、ユーザからの要望に応じて主に製造者が実行するものであり、可能な範囲で接続機器を増設したり（台数を増やしたり、接続できる機種を増加させる）、減らしたり（台数を減らしたり、接続できる機種を変更／減らしたり）することが可能となる。
【００６１】
尚、認証処理については公知の技術を用いるため説明を省略する。また、この変更処理における各種情報の送受信は、発光部２０７、受光部２０８を用いても良いが、図示せぬ専用の入出力端子により実行されても良いので、以下では、特に特定せずに説明する。
【００６２】
まず、リモコン装置２００の制御部２０１は、有線または無線により、（特に無線の場合など必要により暗号化された）製造者認証鍵が受信されると、接続機器管理部２０２にて認証処理を実行するよう制御する（ステップＳＴ３１）。
【００６３】
接続機器管理部２０２は、制御部２０１を介して取得した製造者認証鍵に対して必要に応じて復号化などの処理を実行し、認証鍵格納部２０３に格納されている製造者認証鍵との認証処理を実行する（ステップＳＴ３２）。
【００６４】
ＳＴ３２による認証の結果、認証が一致したと判断された場合（ステップＳＴ３３のＹｅｓ）、制御部２０１は、外部へ認証が一致した旨を示す応答を出力する（ステップＳＴ３４）。ＳＴ３２の認証の結果、不一致であると判断された場合には（ステップＳＴ３３のＮｏ）、制御部２０１は、外部へ認証エラーを示す応答を出力して一連の処理を終了する。
【００６５】
ＳＴ３４の応答出力後、制御部２０１は、接続機器台数あるいは種別情報格納部２０４、２０５に格納されている情報の書換え処理を示すコマンドを受信すると、同時にあるいは続いて受信される書換えデータに基づいて、接続機器管理部２０３により、接続機器台数あるいは種別情報格納部２０４、２０５に格納されている情報の書換えを実行する（ステップＳＴ３５、ＳＴ３６）。
【００６６】
ＳＴ３６による書換え処理が正常に終了すると、制御部２０１は、外部へ正常に終了したことを示す応答を出力して一連の処理を終了する（ステップＳＴ３７）。
【００６７】
このように、本実施例では、台数情報や機器種別の情報を書換え可能とすることにより、台数や種別の増加や減少に容易に対応することができ、フレキシブルな接続環境を提供することができる。更に、デジタルデータのライセンス料やその契約内容に変更が生じた場合等にフレキシブルに対応することが可能となる。
【００６８】
【発明の効果】
以上説明したように、本発明によれば、デジタルデータを提供する接続機器を制限することができ、提供されるデジタルデータの著作権保護ができる。
【図面の簡単な説明】
【図１】本発明の一実施形態に係る接続設定装置を用いたシステムを説明するためのブロック図。
【図２】リモコン装置２００のシステム構成を示すブロック図。
【図３】リモコン装置２００の外観構成を示す図。
【図４】リモコン装置２００により実行される登録処理／登録解除処理の手順を示すフローチャート図。
【図５】登録処理において、映像提供装置１００、リモコン装置２００、接続したい電子機器との間で実行される通信の様子を示す図。
【図６】登録解除処理において、映像提供装置１００、リモコン装置２００、接続したい電子機器との間で実行される通信の様子を示す図。
【図７】リモコン装置２００により実行される設定情報の変更処理の手順を示すフローチャート図。
【符号の説明】
１０…記録再生装置、２０…第１の表示装置、３０…第２の表示装置、１００…映像提供装置、２００…リモコン装置、２０１…制御部、２０２…接続機器管理部、２０３…認証鍵格納部、２０４…接続機器台数情報格納部、２０５…接続機器種別情報格納部、２０６…操作ボタン群、２０７…発光部、２０８…受光部、２１５…接続機器登録ボタン、２１６…接続機器登録解除ボタン。
【図１】
2004355406.tif 000003
【図２】
2004355406.tif 000004
【図３】
2004355406.tif 000005
【図４】
2004355406.tif 000006
【図５】
2004355406.tif 000007
【図６】
2004355406.tif 000008
【図７】
2004355406.tif 000009